(57)【要約】【課題】強固な耐圧性能を持った鎖錠機構を有する筐体の扉構造を提供する。【解決手段】筐体の枠部は、開口の周縁に沿う起立片６を具備し、各起立片６はボルト孔６aを持つ。扉４は、前面板７の周縁に沿う起立片８と、その内側の起立片９と、さらにその内側の起立片１０とを具備する。起立片９，１０間に、閉扉時に筐体１の起立片６を受け入れる。起立片９，１０は、起立片６のボルト孔６aに合致するボルト孔９a，１０aを有する。鎖錠位置で、ロックボルト１６が起立片６，９，１０を貫通し、扉４を筐体１に固定する。ハンドル１１を回転させると、操作レバー２６を介して、リンク１２が上昇、同時に連結レバー２１を介してリンク１５が右行、下部の連結レバー２１を介してリンク１３が左行、連結レバー２１を介して縦方向の第３のリンク１４が下降する。これにより、各駆動レバー１７が回転し、各ロックボルト１６を起立片６，９から抜き、非鎖錠状態となる。【選択図】図１
2011026893.tif 000002
【特許請求の範囲】
【請求項１】
矩形の枠部に囲まれた開口を前面側に有する筐体と、当該筐体の開口を開閉するために筐体にヒンジ止めされる扉と、筐体の開口を閉鎖した位置で扉を筐体に鎖錠するように扉に設けられる鎖錠装置とを具備する筐体の扉構造であって、
前記筐体の枠部は、開口の周縁に沿って前面側に起立して延びる上下左右の起立片を具備し、当該各起立片はそれぞれ直角方向のボルト孔を具備し、
前記扉は、筐体の開口を閉塞する矩形の前面板と、この前面板の周縁に沿って背面側に起立して延びる上下左右の第1の起立片と、この第1の起立片の内側に間隔を置いてこれに沿って前面板の背面側に起立して延びる上下左右の第２の起立片と、この第２の起立片の内側に閉扉時に前記筐体の起立片を受け入れる間隔を置いて第２の起立片に沿って前面板の背面側に起立して延びる上下左右の第３の起立片とを具備し、第２，第３の起立片は、閉扉時に前記筐体の起立片のボルト孔に合致するボルト孔をそれぞれ有し、
前記鎖錠装置は、前記扉の前面に沿って鎖錠位置と非鎖錠位置の間で回転操作可能なハンドルと、扉の第３の起立片の内側に間隔を置いてこれに沿って延びるように前記前面板の背面側に配置されハンドルの回転に連動してそれぞれ第３の起立片に沿って鎖錠位置と非鎖錠位置の間で軸線方向に直線往復動可能に設けられる第１ないし第４の４つのリンクと、第３の起立片の各ボルト孔内に鎖錠位置と非鎖錠位置の間で軸線方向進退自在に支持され鎖錠位置において前記扉の起立片の各ボルト孔を貫通して第２の起立片の各ボルト孔に先端側が挿通されるロックボルトと、一端が各ロックボルトの基端側に枢支され中間が扉の前面板に枢支され他端が各リンクに枢支され当該リンクの鎖錠位置と非鎖錠位置の間の直線往復動に連動して鎖錠位置と非鎖錠位置の間で正逆回転することによって各ロックボルトを鎖錠位置と非鎖錠位置の間で進退させる複数の駆動レバーとを具備することを特徴とする筐体の扉構造。
【請求項２】
前記各リンクは、両端部においてそれぞれ隣接する他のリンクと交差し、当該隣接するリンクの端部間が４つの連結レバーによって連結され、
当該連結レバーは、中間において前記扉の前面板に枢支され、当該枢支部から相互に直角方向に延出する２つのアームを具備し、
前記連結レバーの一方のアームの端部が隣接する一方のリンクの端部に、また他方のアームの端部が隣接する他方のリンクの端部に、それぞれアームの軸線方向移動自在に枢支されることを特徴とする請求項１に記載の筐体の扉構造。
【請求項３】
前記駆動レバーは、中間において前記扉の前面板に枢支され、当該枢支部から相互に直角方向に延出する２つのアームを具備し、
前記駆動レバーの一方のアームの端部が前記ロックボルトの基端に枢支され、他方のアームの端部が前記リンクの延長途上に、それぞれアームの軸線方向移動自在に枢支されることを特徴とする請求項１に記載の筐体の扉構造。
【発明の詳細な説明】
【技術分野】
【０００１】
この発明は、筐体内部の圧力の上昇により扉が筐体から離脱して飛散しないように鎖錠する筐体の防爆扉などの扉構造に関する。
【背景技術】
【０００２】
扉を筐体にヒンジ部材を介して回動可能に連結するとともに、ヒンジ部材で連結されていない各部を単一の錠装置による複数の錠止点で固定する扉の締め込み構造が特許文献１に記載されている。この構造によれば、筐体内部の圧力の上昇により、扉に数トンの圧力が加えられた場合でも、扉の錠装置が脱落することなく、扉を確実に締め込むことができるとされる。
この扉の締め込み構造は、筐体の開口を囲む枠部のうち、扉がヒンジ結合されていない垂直方向及び水平方向の枠部に適宜間隔で、前方に突出する複数の係止ピンが設けられる。一方、扉の内側周縁部のうちヒンジ結合されていない部位には、係止ピンが係合する複数のだるま穴を有する複数のスライド部材が垂直方向及び水平方向にスライド可能に設けられる。係止ピンは、だるま穴の小穴部において係止溝が係合して扉を鎖錠するが、大穴部においては係合せず、扉の開閉動を許容する。スライド部材の相互の隣接端部間にクランク部材が回動可能に設けられる。扉の外面には、スライド部材を垂直方向又は水平方向に直線駆動するハンドルが設けられ、ハンドルの操作により、各スライド部材をスライドさせ、各だるま穴と各係止ピンとの係脱により、扉の施錠、解錠を行うものである。
【先行技術文献】
【特許文献】
【０００３】
【特許文献１】特開２００９−１３８４６２号公報
【発明の概要】
【発明が解決しようとする課題】
【０００４】
この出願に係る発明は、より強固な耐圧性能を持った鎖錠機構を有する筐体の扉構造を提供することを目的としている。
【課題を解決するための手段】
【０００５】
以下、添付図面の符号を参照して説明するが、本発明はこれに限定されるものではない。
上記課題を解決するための、この出願に係る発明の扉構造は、矩形の枠部２に囲まれた開口３を前面側に有する筐体１と、当該筐体１の開口３を開閉するために筐体１にヒンジ止めされる扉４と、筐体１の開口３を閉鎖した位置で扉４を筐体１に鎖錠するように扉４に設けられる鎖錠装置５とを具備する。筐体１の枠部２は、開口３の周縁に沿って前面側に起立して延びる上下左右の起立片６を具備し、当該各起立片６はそれぞれ開口３の周縁に対して直角方向のボルト孔６aを具備する。扉４は、筐体１の開口３を閉塞する矩形の前面板７と、この前面板７の周縁に沿って背面側に起立して延びる上下左右の第1の起立片８と、この第1の起立片８の内側に間隔を置いてこれに沿って前面板７の背面側に起立して延びる上下左右の第２の起立片９と、この第２の起立片９の内側に、閉扉時に筐体１の起立片６を受け入れる間隔を置いて第２の起立片９に沿って前面板７の背面側に起立して延びる上下左右の第３の起立片１０とを具備し、第２，第３の起立片９，１０は、閉扉時に筐体１の起立片６のボルト孔６aに合致するボルト孔９a，１０aをそれぞれ有する。鎖錠装置５は、扉４の前面に沿って鎖錠位置と非鎖錠位置の間で回転操作可能なハンドル１１と、ハンドル１１の回転に連動する第１ないし第４の４つのリンク１２，１３，１４，１５と、リンクに連動する複数のロックボルト１６と、リンク１２〜１５とロックボルト１６とを連結する複数の駆動レバー１７とを具備する。リンク１２〜１５は、扉の第３の起立片１０の内側に間隔を置いてこれに沿って延びるように前面板７の背面側に配置され、ハンドル１１の回転に連動してそれぞれ第３の起立片１０に沿って鎖錠位置と非鎖錠位置の間で軸線方向に直線往復動可能である。ロックボルト１６は、第３の起立片１０の各ボルト孔１０a内に、鎖錠位置と非鎖錠位置の間で軸線方向進退自在に支持され、鎖錠位置において起立片６の各ボルト孔６aを貫通して第２の起立片９の各ボルト孔９aに先端側が挿通される。駆動レバー１７は、一端が各ロックボルト１６の基端側に枢支され、中間が扉の前面板７に枢支され、他端が各リンク１２〜１５に枢支され、当該リンクの鎖錠位置と非鎖錠位置の間の直線往復動に連動して、鎖錠位置と非鎖錠位置の間で正逆回転することによって、各ロックボルト１６を鎖錠位置と非鎖錠位置の間で進退させる。
【発明の効果】
【０００６】
この出願に係る発明の装置によれば、鎖錠状態で、ロックボルト１６が、扉４の第２，第3の起立片９，１０及び、それらの間に位置する筐体１の起立片６の三者を貫通することにより、扉４を筐体１に対して閉鎖位置に保持するから、鎖錠が強固である。ロックボルト１６が、筐体１の起立片６の両側の2点で扉４に支持される構造であるから、高圧によりロックボルト１６が曲がったり、折損したりして扉４が吹き飛ばされるような事態を確実に防止できる。
【図面の簡単な説明】
【０００７】
【図１】本発明に係る扉構造における扉を背面側から見た図である。
【図２】図1の扉構造の一部を切断した平面図である。
【図３】図1の扉構造の一部を切断した側面図である。
【図４】本発明に係る扉構造における筐体の開口部の斜視図である。
【図５】図1におけるV部拡大図である。
【図６】図２におけるVI部拡大図である。
【図７】図1におけるVII部拡大図である。
【図８】図３におけるVIII部拡大図である。
【発明を実施するための形態】
【０００８】
図面を参照してこの発明の実施の形態を説明する。
図示の実施形態の扉構造は、矩形の枠部２に囲まれた開口３を前面側に有する筐体１(図４)と、当該筐体の開口３を開閉するために筐体にヒンジ止めされる扉４と、筐体の開口３を閉鎖した位置で扉４を筐体１に鎖錠するように扉４に設けられる鎖錠装置５とを具備する。
【０００９】
図４に示すように、筐体１の枠部２は、開口３の周縁に沿って前面側に起立して延びる上下左右の起立片６を具備する。各起立片６は、それぞれ開口３の周縁に対して直角方向のボルト孔6ａを具備する。
【００１０】
扉４は、筐体の開口３を閉塞する矩形の前面板７と、この前面板７の周縁に沿って背面側に設けられる上下左右の第1ないし第３の起立片８，９，１０とを具備する。第1の起立片８は、前面板７の四囲の周縁に沿って背面側に起立して延びる。第２の起立片９は、第1の起立片８の内側に間隔を置いて、これに沿って前面板７の背面側に起立して延びる。第３の起立片１０は、第２の起立片９の内側に、閉扉時に筐体１の起立片６を受け入れる間隔を置いて、第２の起立片に沿って前面板７の背面側に起立して延びる。起立片１０は、角筒状に構成される。第２，第３の起立片９，１０は、閉扉時に筐体１の起立片６のボルト孔６ａに合致するボルト孔9ａ，１０ａをそれぞれ有する。
【００１１】
鎖錠装置５は、扉４の前面に沿って鎖錠位置と非鎖錠位置の間で回転操作可能なハンドル１１と、ハンドル１１の回転に連動する第１ないし第４の４つのリンク１２，１３，１４，１５と、リンクに連動する複数のロックボルト１６と、リンク１２，１３，１４，１５とロックボルト１６とを連結する駆動レバー１７とを具備する。
【００１２】
リンク１２，１３，１４，１５は、扉４の第３の起立片１０の内側に間隔を置いて、これに沿って延びるように前面板７の背面側に配置され、ハンドル１１の回転に連動してそれぞれ第３の起立片１０に沿って鎖錠位置と非鎖錠位置の間で前面板７と平行に軸線方向に直線往復動可能である。
【００１３】
前面板７の背面には、支持枠２４が固着される。支持枠２４は、前面板７の背面中央を横断する方向に延びて左右の起立片１０，１０に達する。支持枠２４は、起立片１０と同形の角筒状で、上下方向に延びる左右の２つのリンク１２，１４は、この支持枠２４上に移動自在に配置される。支持枠２４上に設けられたガイド部材２５にリンク１２，１４の中間部が挿通され、これにより、リンク１２，１４の垂直進退がガイドされる。
【００１４】
ハンドル１１の軸１１ａに、操作レバー２６の基端がボルト２７で固着される。図７に示すように、操作レバー２６は、それの軸方向に延びる長孔２６ａを有し、第１のリンク１２の延長途上を貫通する枢ピン２８が長孔２６ａに挿通される。ハンドル１１の回転に伴う軸１１ａの回転が、操作レバー２６によって、リンク１２の上下方向の直線運動に変換して伝えられる。
【００１５】
ロックボルト１６は、第３の起立片１０の各ボルト孔１０ａ内に、鎖錠位置と非鎖錠位置の間で軸線方向進退自在に支持される。ロックボルト１６は、図６に示すように、鎖錠位置において扉の起立片６の各ボルト孔６ａを直交方向に貫通し、第２の起立片９の各ボルト孔９ａに先端側が挿通される。
【００１６】
駆動レバー１７は、図５，７に示すように、一端が各ロックボルト１６の基端側にピン１８枢支され、中間が扉の前面板７にピン１９枢支され、他端が各リンク１２，１３，１４，１５の延長途上にピン２０で枢支され、当該リンクの鎖錠位置と非鎖錠位置の間の直線往復動に連動して、鎖錠位置と非鎖錠位置の間で前面板７と平行に正逆回転し、それによって、各ロックボルト１６を鎖錠位置と非鎖錠位置の間で進退させる。すなわち、駆動レバー１７は、ピン１９による中間の枢支部から、相互に直角方向に前面板７と平行に延出する２つのアーム１７ａ，１７ｂを具備し、一方のアーム１７ａの端部がロックボルト１６の基端に枢支される。他方のアーム１７ｂの端部には、当該アームの軸線方向に延びる長孔１７ｃが形成される。この長孔１７ｃにピン２０が挿通されることによって、レバー１７は、長孔１７ｃに範囲で、アーム１７ｂの軸線方向移動自在に枢支される。
【００１７】
各リンク１２，１３，１４，１５は、両端部においてそれぞれ隣接する他のリンクと交差し、当該隣接するリンクの端部間が４つの連結レバー２１によって連結される。
【００１８】
図５に示すように、連結レバー２１は、中間において扉の前面板７にピン２９で枢支され、当該枢支部から相互に直角方向に前面板７と平行に延出する２つのアーム２１ａ，２１ｂを具備する。アーム２１ａ，２１ｂは、それぞれ軸線方向に延びる長孔２１ｃ，２１ｄを有する。連結レバー２１の一方のアーム２１ａの端部が隣接する一方のリンクの端部に、また他方のアーム２１ｂの端部が隣接する他方のリンクの端部に、それぞれピン２２，２３によって枢支される。ピン２２，２３が，それぞれ長孔２１ｃ，２１ｄに挿通されているので、ピン２２，２３は、アーム２１ａ，２１ｂの軸線方向に長孔２１ｃ，２１ｄの範囲で移動自在である。
【００１９】
図に示す扉の鎖錠状態において、ロックボルト１６が、扉の起立片９，１０と、これらの間に位置する筐体の起立片６を貫通し、扉の四囲においてこれを閉鎖状態に保持する。ロックボルト１６は、筐体の起立片６を挟み、その両側で扉の起立片９，１０に支持されるから堅牢である。何らかの原因で筐体１内に高圧が生じても、扉４は、ロックボルト１６により強固に鎖錠されており、容易に破壊され吹き飛ばされることはない。扉４の鎖錠を解くには、ハンドル１１を前方に引き起こし、前面板７に沿って回転させ、図１に仮想線で示す非鎖錠位置まで操作レバー２６を回転させる。これにより、リンク１２が上昇し、同時に上部の連結レバー２１を介して上部のリンク１５が右行し、また下部の連結レバー２１を介して下部のリンク１３が左行し、さらに上下の連結レバー２１を介して縦方向の第３のリンク１４が下降する。この各リンク１２，１３，１４，１５の動作により、各駆動レバー１７が、それぞれ仮想線で示す非鎖錠位置まで回転し、各ロックボルト１６を起立片６，９から抜き、非鎖錠状態となる。
【符号の説明】
【００２０】
１    筐体
２    枠部
３    開口
４    扉
５    鎖錠装置
６    起立片
６ａ  ボルト孔
７    前面板
８    第１の起立片
９    第２の起立片
９ａ  ボルト孔
１０  第３の起立片
１０ａ  ボルト孔
１１  ハンドル
１２  第１のリンク
１３  第２のリンク
１４  第３のリンク
１５  第４のリンク
１６  ロックボルト
１７  駆動レバー
１８  ピン
１９  ピン
２０  ピン
２１  連結レバー
２２  ピン
２３  ピン
２４  支持枠
２５  ガイド部材
２６  操作レバー
２７  ボルト
２７ａ  長孔
２８  枢ピン
２９  ピン
【図１】
2011026893.tif 000003
【図２】
2011026893.tif 000004
【図３】
2011026893.tif 000005
【図４】
2011026893.tif 000006
【図５】
2011026893.tif 000007
【図６】
2011026893.tif 000008
【図７】
2011026893.tif 000009
【図８】
2011026893.tif 000010